(57)【特許請求の範囲】
【請求項１】
前面に遊技領域を形成した遊技盤の裏側に装着され、機械式の各図柄表示ユニットの図柄組み合わせによる特別遊技条件を現出し得るパチンコ遊技機の大型遊技装置において、
前記遊技盤の後面側に装着セットされて、該遊技盤に形成された可視表示部分に臨む前カバー部材と、
前記前カバー部材の後側に装着される前ケースおよび該前ケースの後側に装着される後ケースからなり、前記各図柄表示ユニットの駆動基盤を前記前ケースと後ケースとで前後から挟持して、該図柄表示ユニットを並列状態に収容保持する収容箱体と、
前記収容箱体の後ケースの後面を覆う形状をなして該後面に当接する本体板と、前記本体板の上端縁から前記後ケースおよび前ケースの上面に当接しながら前方へ延出して該上面を覆う形状の上板と、前記本体板の下端縁から前記後ケースおよび前ケースの下面に当接しながら前方へ延出する下板とを備えて剛性を有し、前記収容箱体に対して後側から装着されて前記上板および下板が前記前カバー部材に連結され、該前カバー部材との間で該収容箱体の前ケースと後ケースとを上下および前後から挟持する金属枠と、
前記金属枠の後側に装着され、前記夫々の図柄表示ユニットに係る所要の入出力制御をなし得る表示制御装置とから構成した
ことを特徴とするパチンコ遊技機の大型遊技装置。
【請求項２】
前記前ケースは、前後に開口する筒状に形成されて、その後端部に後側へ開放する前切欠を備え、
前記後ケースは、前側に開口する箱状に形成されて、その前端部に前側へ開放して前記前切欠と整合する後切欠を備え、
前記駆動基盤は、端縁から外方へ突出して、前記前ケースと後ケースとの装着時に前記前切欠と後切欠が前後から嵌合する位置決め突片を備えた請求項１記載のパチンコ遊技機の大型遊技装置。
【請求項３】
前記後ケースは、前記各図柄表示ユニットの駆動基盤と係合して該図柄表示ユニットを位置決めして保持する支持ガイド片を備えた請求項１または２記載のパチンコ遊技機の大型遊技装置。
【発明の詳細な説明】
【０００１】
【発明の属する技術分野】
この発明は、パチンコ遊技機の大型遊技装置に関し、更に詳細には、遊技盤に構成された遊技領域内でパチンコゲームを展開し得るパチンコ遊技機において、該遊技盤の裏側に装着されて図柄組み合わせによる特別遊技条件を現出し得る大型遊技装置に関するものである。
【０００２】
【従来の技術】
この種の遊技機の代表例として、従来から知られているパチンコ機において、遊技中に発生される毎回の始動および停止を含む変動制御条件に基づいて図柄組合わせゲームを展開して、特別遊技状態に係る権利とされる組合わせ入賞条件を成立表示することのできる大型遊技装置として、ドラム形式やベルト形式と称されている各種の図柄可変表示装置が採用されている。このうち、例えばドラム形式の図柄可変表示装置では、対象のパチンコ機によってサイズや変動制御条件等に差異があっても、その基本的な形態として、図柄表示体として合成樹脂成形された平プーリ形の図柄ドラム(ドラムの素地である回転体の外周に色彩区分された、例えば数字、アルファベット文字、その他の図形やマーク等の各種多様な識別用の図柄を配置したもの)と、該図柄ドラムの回転駆動手段(一般にステッピングモータ)と、停止表示される各図柄用の位置決め検出手段および照明手段等を含めて１基毎に図柄表示ユニット化される。そして、この図柄表示ユニットが、１つのドラムケース内に複数基(通常では左列、中列、右列の３基)を組単位として並列セットされている。
【０００３】
このような図柄可変表示装置は、例えば遊技盤の裏面に組付けて固定することにより、該遊技盤前面の中央に組付けた大型装飾部品に開口形成された透視窓状の可視表示部分に対し、前記各図柄表示ユニットの各図柄ドラムを臨ませた状態に固定される。なお、図柄可変表示装置と可視表示部分との間には、前記図柄ドラムの図柄を透視し得る透明樹脂製の前カバー部材が介挿されており、パチンコゲーム中に発生した始動信号入力条件により表示制御装置から発生される制御出力に基いて各列の図柄表示ユニットの図柄ドラムが設定時間条件で回転・停止し、各図柄を入賞ライン上に透視表示するよう構成される。
【０００４】
【発明が解決しようとする課題】
ところで従来のパチンコ遊技機の遊技盤では、前記前カバー部材が前記大型装飾部品側に組付けるように構成されており、前記図柄可変表示装置のドラムケースは前記可視表示部分に整合する前側が大きく開口しており、各図柄表示ユニットの図柄ドラムが露出していた。このため、保管時や輸送時等においては、図柄ドラムを損傷したりドラムケース内へ塵埃やゴミ等の異物が侵入し易い欠点があり、実際にこれらが侵入した場合には図柄表示ユニットの故障や誤作動(位置検出不良、駆動モータの作動不良等)を誘因してしまう問題があった。また、図柄可変表示装置を遊技盤に装着する際に、前記図柄ドラムを前記前カバー部材へ衝突させてしまうこともあり、これにより図柄ドラムに傷が付く不都合も指摘される。
【０００５】
一方、前記各図柄表示ユニットにおける回転駆動手段や位置決め検出手段および照明手段等は、表示制御基板を具備した表示制御装置による入出力制御に基づいて遊技内容に応じて制御されている。しかしながら従来のパチンコ遊技機では、前記表示制御装置が図柄可変表示装置の構成要素であるにも拘らず夫々を別体として設計・製作し、該表示制御装置は機構セット盤の適宜部位に設置される場合が多かった。すなわち従来の図柄可変表示装置は、図柄表示ユニットを収容したドラムケースと前記前カバー部材および前記表示制御装置が、別々に取扱われて別々に遊技盤や機構セット盤に組付けられるように構成されていたため、組付工数が増加すると共に図柄表示ユニットと表示制御装置とを接続するハーネスが長くなり、製造コストが嵩む欠点等も内在していた。
【０００６】
【発明の目的】
本発明は、前述した従来の技術に内在している前記課題に鑑み、これを好適に解決するべく提案されたものであって、前カバー部材、図柄表示ユニットを収容したケース体、金属フレーム、表示制御装置を予め組立てて単一ユニット体として構成することにより、取扱いの容易化や組付作業の合理化等を図り得るようにしたパチンコ遊技機の大型遊技装置を提供することを目的とする。
【０００７】
【課題を解決するための手段】
前述した課題を克服し、所期の目的を好適に達成するため、本発明に係るパチンコ遊技機の大型遊技装置は、前面に遊技領域を形成した遊技盤(J)の裏側に装着され、機械式の各図柄表示ユニット(U)の図柄組み合わせによる特別遊技条件を現出し得るパチンコ遊技機の大型遊技装置において、
前記遊技盤(J)の後面側に装着セットされて、該遊技盤(J)に形成された可視表示部分(67)に臨む前カバー部材(20)と、
前記前カバー部材(20)の後側に装着される前ケース(29)および該前ケース(29)の後側に装着される後ケース(30)からなり、前記各図柄表示ユニット(U)の駆動基盤(31)を前記前ケース(29)と後ケース(30)とで前後から挟持して、該図柄表示ユニット(U)を並列状態に収容保持する収容箱体(21)と、
前記収容箱体(21)の後ケース(30)の後面を覆う形状をなして該後面に当接する本体板(37)と、前記本体板(37)の上端縁から前記後ケース(20)および前ケース(29)の上面に当接しながら前方へ延出して該上面を覆う形状の上板(38)と、前記本体板(37)の下端縁から前記後ケース(30)および前ケース(29)の下面に当接しながら前方へ延出する下板(39)とを備えて剛性を有し、前記収容箱体(21)に対して後側から装着されて前記上板(38)および下板(39)が前記前カバー部材(20)に連結され、該前カバー部材(20)との間で該収容箱体(21)の前ケース(29)と後ケース(30)とを上下および前後から挟持する金属枠(22)と、
前記金属枠(22)の後側に装着され、前記夫々の図柄表示ユニット(U)に係る所要の入出力制御をなし得る表示制御装置(M)から構成したことを特徴とする。
【０００８】
【作用】
大型遊技装置は、遊技盤の可視表示部分に整合する前カバー部材、前ケースおよび後ケースからなり図柄表示ユニットを収容した収容箱体、該収容箱体を囲繞するように組付けられる金属枠、図柄表示ユニットの駆動制御を行なう表示制御装置とから構成され、これらは遊技盤に組付ける前に予め組付けられて単一ユニット体として取扱い得る。しかも、図柄表示ユニットの駆動基盤を収容箱体の前ケースと後ケースとで前後から挟持し、更に収容箱体の前ケースと後ケースとを前カバー部材と金属枠とで上下および前後から挟持したもとで、該前カバー部材と金属枠とを連結するだけで該図柄表示ユニットを収容箱体内に固定保持させ得る。そして、収容箱体の前側開口部が前カバー部材で覆蓋されているので、組立完了後の保管時や運搬時に該箱体内への塵埃やゴミ等の異物の侵入が好適に回避され、図柄表示ユニットの誤作動や故障発生が好適に防止される一方、図柄表示ユニットが露出しないので該ユニットの損傷や破損等も防止される。また、表示制御装置は、各図柄表示ユニットとの間に金属枠を介在させて設置されるので、該図柄表示ユニットから発生するノイズによる影響を受けることはない。
【０００９】
【発明の実施の形態】
次に、本発明に係るパチンコ遊技機の大型遊技装置につき、好適な実施例を挙げ、添付図面を参照しながら以下詳細に説明する。なお、本実施例に係る大型遊技装置としては、ドラム式の図柄可変表示装置(単に図柄装置とも略称する)を例に挙げて、パチンコ機に配設されるものとして説明する。
【００１０】
(パチンコ機)
そこで、先ず本実施例のパチンコ機について、図２および図３を参照して要約説明する。本実施例のパチンコ機Ｐは、その基本的な概略構成として、外枠Ａの開口前面側に対して前枠Ｂが、連結支持手段および施錠手段を利用して着脱および開放可能に組付けられている。そして前枠Ｂの内外部分に、横開き式のガラス扉Ｄを組付けた窓枠Ｃと、ガラス扉Ｄの下部において窓枠Ｃに対して着脱および開放可能に組付けられる開閉セット板の前側にセットされた上球皿Ｅおよび後側にセットされた電動式の球送り装置(図示せず)と、下段に位置する下球皿Ｆおよび打球発射装置Ｈと、後側に位置する機構セット盤Ｇ等が夫々装備されている一方、前枠Ｂ後側の収容枠体の正面内部に所要の遊技領域Ｉを構成した遊技盤Ｊが着脱交換可能にセットされる。
【００１１】
(遊技盤)
前記遊技盤Ｊは、図４に示すように、略円形状に湾曲形成したレール１０により囲まれた遊技領域Ｉの前側において、縦央やや下部に配設されてセーフ球をスイッチで検出し得る始動入賞具１１と、この始動入賞具１１の直上方に配置され、後述する図柄可変表示装置(大型遊技装置)Ｋに組付けた透視表示体(前カバー部材)２０が整合すると共に内壁面をメッキ処理した可視表示部分６７を形成した大型装飾部品Ｎと、風車とも称されて遊技球用の流下方向を任意に変向する電飾案内車１２および普通案内車１３と、始動入賞具１１の直下方に設置された前記大型電動式の入賞装置Ｌと、遊技状態に応じて照射パターンが変更制御される電飾装置１４等を備えている。また遊技盤Ｊの後側には、図３に示すように、セーフ球を機構セット盤Ｇ側に通出案内させるセーフ球案内部材１５が装着されている。そして、このセーフ球案内部材１５には、該案内部材１５に開設した透視窓部１５ａの後側に合わせて図柄可変表示装置Ｋが装備セットされる。なお、図４中の符号１６はアウト口を示す。
【００１２】
前記始動入賞具１１内に配設された図示しないスイッチは、各セーフ球の検出毎に図柄可変表示装置Ｋを１回ずつ作動スタートさせるための始動入力手段として利用される。また前記入賞装置Ｌは、図柄可変表示装置Ｋの大当り成立時に対する特別遊技状態として、開成作動条件が付与される大型の入賞装置であって、図４に示されるように、特別入賞口１７に対設された扉状の開閉板１８が、後側の電磁ソレノイドに係る設定駆動条件に基づいて、通常の閉鎖状態から開放状態に変化されるようになっている。そして、特別入賞口１７の後側内部にセーフ球用のカウントスイッチと、開放作動継続用の特別スイッチ(Ｖスイッチ)が組込まれている(何れも図示せず)。なお、入賞装置Ｌの左右両側に普通入賞口１９,１９が設けられている。
【００１３】
(図柄可変表示装置)
実施例に係るドラム式の図柄可変表示装置Ｋは、前記遊技盤Ｊの後側にセットされるセーフ球案内部材１５に装備される前提にあって、基本的な構成として図１および図１５に示すように、セーフ球案内部材１５の後面側に装着セットされて前記大型装飾部品Ｎの可視表示部分６７に臨む透視表示体(前カバー部材)２０と、この透視表示体２０の後面側に装着される収容箱体２１と、該収容箱体２１内に縦列収容セットされる複数基(図示３基)の図柄表示ユニットＵと、前記収容箱体２１に対して後面側から装着されて透視表示体２０との間で該収容箱体２１を挟持する金属枠２２と、夫々の図柄表示ユニットＵに係る所要の入出力制御をなし得る表示制御装置(制御装置)Ｍとを備え、全体が前後方向へ組付結合されて単一ユニット体として構成されている。そして、パチンコゲーム中に発生した始動信号入力条件により、前記表示制御装置Ｍから発生される制御出力に基いて、各列の図柄表示ユニットＵの図柄ドラム３３(後述)が設定時間条件で回転・停止されて、各図柄を遊技盤Ｊの前面の入賞ライン上に表示し得るようになっている。
【００１４】
そこで、実施例の図柄可変表示装置Ｋにおける前記各構成部材毎について説明する。
【００１５】
(透視表示体について)
前カバー部材としての前記透視表示体２０は、装置自体の前位置決め部材としても機能するものであって、図１,図１３および図１４に示すように、透明合成樹脂材により後側に開放する箱蓋形に形成されると共に、その中央部には、前向きの凸円弧形に膨出するレンズ兼用の透視部２３が形成されており、この透視部２３に左、中、右の３列の表示窓２４が区画形成されている。また透視表示体２０の左右の側縁部には、ピン孔２５ａを有する連結支片２５が夫々形成され、各連結支片２５には施錠具２６(図３参照)が予め装着されている。なお、前記セーフ球案内部材１５には、前記透視窓口１５ａの左右両側に、後方に突出するピン２７ａおよび連結孔２７ｂを形成した支持部２７が夫々形成されており、透視表示体２０の各連結支片２５のピン孔２５ａに対応するピン２７ａを嵌挿したもとで、施錠具２６を対応する連結孔２７ｂに係着することで、透視表示体２０はセーフ球案内部材１５に連結状態で施錠されるようになっている。
【００１６】
また、図１３および図１４に示すように、前記透視表示体２０の上下内周面の所要位置に複数のボス２８が形成され、各ボス２８には後側に開放するネジ孔２８ａが形成される。そして、該ネジ孔２８ａに螺挿されるネジ６９(図１５)を介して、前記金属枠２２が透視表示体２０に位置決め固定されるよう構成される。一方、前記透視部２３の上下隣接部には、後述する各図柄表示ユニットＵにおける駆動基盤３１の位置決めおよび挟持を図る支持ガイド片７１が横方向に離間して３個ずつ形成されており、上下に対向する一対の支持ガイド片７１,７１が１枚の駆動基盤３１に対応するようになっている。更に、前記透視部２３の外周隣接部には、前記収容箱体２１における前ケース２９の位置決めを図る枠状突片７２が形成されている。なお、この枠状突片７２の側部内方には、該突片７２に整合した前記前ケース２９の内側への変形を規制する変形規制ボス７３が突設されている。このように構成された透視表示体２０は、図柄可変表示装置Ｋの全重量を支えるために、所要位置に複数の補強リブを設けて剛性向上が図られている。
【００１７】
(収容箱体について)
前記収容箱体２１は、図８および図９に示す如く、前後に開放する角筒状の前ケース２９と、該前ケース２９と同一外形寸法で前方に開放する箱状の後ケース３０との２部材から構成され、前ケース２９の後端と後ケース３０の前端とを対向当接することで、前記３基の図柄表示ユニットＵを収容セットするための前方に開放する収容室が内部画成される。そして、前ケース２９の前部を、前記透視表示体２０の後面側に形成した前記枠状突片７２に嵌合位置決めすることで(図７参照)、前開口部が前記透視部２３に整合されるようになっている。このとき、前ケース２９の左右の各側枠材２９ｃにおける前部分は、前記枠状突片７２および前記変形規制ボス７３により内外両側から係止保持されており、内側および外側への変形(反りや歪み)が規制されている。
【００１８】
前記前ケース２９の下枠材２９ａにおける後端部には、幅方向に離間して３つの前切欠２９ｂが後側に開放するよう形成される。また後ケース３０の下枠材３０ａにおける前端部には、前ケース２９の各前切欠２９ｂと対応する位置に、前側に開放する後切欠３０ｂが夫々形成され、前後のケース２９,３０を対向当接した状態で、両切欠２９ｂ,３０ｂにより逃し口が下方に開口するよう構成される(図７参照)。なお前後のケース２９,３０には、切欠２９ｂ,３０ｂの側方に、該切欠２９ｂ,３０ｂに沿って延在する保護板２９ｄ,３０ｄが垂下状態に立設され、逃し口から外方へ延出した前記駆動基盤３１の位置決め突片３４の裏面側に形成した電気回路(導通部)を保護し得るようになっている。
【００１９】
また、前記後ケース３０における左右の各側枠材３０ｃには、該側枠材３０ｃの前端から水平前方へ突出した変形規制ボス７５が形成されており、該後ケース３０に対向当接した前記前ケース２９の側枠材２９ｃにおける後部分は、該変形規制ボス７５により内側から係止保持されており、内側への変形(反りや歪み)が規制されている。すなわち、前ケース２９の左右の側枠材２９ｃは、前記変形規制ボス７３および前記変形規制ボス７５により、前部分および後部分の内側への変形が規制される。一方、前記後ケース３０における内部後上方の隅角部には、各図柄表示ユニットＵにおける駆動基盤３１の位置決めおよび固定保持を図る支持ガイド片７６が、横方向に離間して３個形成されている。更に、前記各支持ガイド片７６の成形部位、すなわち駆動基盤３１の端部が整合する部位に、該基盤３１の端部を視認し得る確認孔７７が開設されており、各支持ガイド片７６に対して対応の駆動基盤３１が適切に整合しているか否かを、後ケース３０の外側から確認し得るようになっている。
【００２０】
(図柄表示ユニット)
前記各図柄表示ユニットＵは、図８,図９および図１４に示す如く、矩形状の駆動基盤３１と、この基盤３１中央部に装着されたステッピングモータ３２で回転制御される表示手段としての図柄ドラム３３と、入賞ラインに停止した図柄を内側から照明する照射ランプ７９,７９を有する照明具７８と、図柄ドラム３３の各図柄の位置検出の基準となるインデックス８０を検出する検出具８１とから構成されている。また各駆動基盤３１の下端後部に、下方に突出する位置決め突片３４が形成され、該突片３４のモータ装着面側に、コネクタ３５が接続口３５ａを側方に向く横向き(駆動基盤３１に対する直交する向き)とした姿勢で配設されている。そして各図柄表示ユニットＵは、位置決め突片３４が前記収容箱体２１における前後のケース２９,３０の切欠２９ｂ,３０ｂに嵌挿されたもとで、収容室内において各図柄表示ユニットＵが互いに等間隔で整列保持される。なお、収容箱体２１の逃し口から下方に突出する位置決め突片３４に配設されるコネクタ３５は、前記表示制御装置Ｍのコネクタ５２(後述)に対し、ハーネス３６を介して最短距離で接続できるようになっている。
【００２１】
(金属枠について)
前記金属枠２２は、図８および図９に示す如く、矩形状に形成された本体板３７の上端部に、前方に向けて水平に延出する上板３８が形成されると共に、本体板３７の下端部には、幅方向に離間して複数(実施例では３枚)の下板３９が前方に向けて水平に延出するよう形成され、適宜の外力が付与されても容易に変形しない程度の剛性を有している。そして、前記収容箱体２１に対して金属枠２２は、収容箱体２１における後ケース３０の後面に本体板３７を対向当接し、前ケース２９および後ケース３０の上面に上板３８を沿設すると共に、前ケース２９と後ケース３０の下面に下板３９を沿設することになり、これら本体板３７と上板３８および下板３９とで前後のケース２９,３０を後側および上下から挟持して囲繞する状態で装着される。なお、各下板３９は、収容箱体２１の下面に形成される各逃し口から下方に突出するコネクタ３５とは干渉しない位置に設けられる。
【００２２】
前記上板３８の前端部には、幅方向に離間して複数(実施例では２つ)の当接片３８ａが上方に向けて略直角に折曲形成されると共に、前記各下板３９の前端部には、下方に向けて当接片３９ａが略直角に折曲形成されており、各当接片３８ａ,３９ａは、前記収容箱体２１に金属枠２２を装着した状態で、前記透視表示体２０に形成された対応のボス２８の後端に当接するよう設定される。また上下に位置する各当接片３８ａ,３９ａにはスリット３８ｂ,３９ｂが形成され、各スリット３８ｂ,３９ｂに後側から挿通されたネジ６９を対応のネジ孔２８ａに螺挿することで、当該金属枠２２が透視表示体２０に位置決め固定される。すなわち、前記前後のケース２９,３０に分割されている収容箱体２１は、透視表示体２０と金属枠２２とにより前後から挟持された状態で位置決めされている。これにより収容箱体２１に収容セットされた前記各図柄表示ユニットＵの重量および表示制御装置Ｍの重量は、前記透視表示体２０および金属枠２２に加わるようになり、該収容箱体２１自体にはこれらの重量が加わらないので変形や破損等が発生することはない。
【００２３】
前記上板３８における左右の側端部には、上方に向けて略直角に折曲された支持片４０が夫々形成される。また、本体板３７の左右の両側端部における一方の対角近傍に、後方に延出するＴ字状の第１位置決め片４１が夫々形成されると共に、他方の対角近傍には後方に延出する第２位置決め片４２が夫々形成される。そして、これら４つの位置決め片４１,４１,４２,４２および前記一対の支持片４０,４０により、前記表示制御装置Ｍを好適に支持するよう構成される。更に、上板３８の前端部には、前記両当接片３８ａ,３８ａの間に、ネジ孔４３ａが形成された取付片４３が上方に向けて所要長さで延在するよう略直角に折曲形成され、該取付片４３を介して表示制御装置Ｍが後側からネジ６６で固定されるようになっている(図６参照)。なお、本体板３７における左右の側端部には、前記後ケース３０を幅方向両側から挟持する挟持片３７ａが夫々形成されている。
【００２４】
(表示制御装置)
前記表示制御装置Ｍは、前記図柄表示ユニットＵに関する各種電子部品が実装される表示制御基板(制御基板)４４と、該基板４４を収容する基板ケース４５とから基本的に構成される。表示制御基板４４は、図１０および図１１に示す如く、前記収容箱体２１の上面側に位置する第１基板部４６と、収容箱体２１の後面側に位置する第２基板部４７とから構成され、全体としてＬ字型を呈している。所要の回路パターンが形成された第１基板部４６には、大型であったり、重量が大きかったり、発熱あるいはノイズの発生原因となる、放熱板を備えたトランスやレギュレータ等の電源部品４８やコンデンサ４９等の大型部品(電子部品)が実装される。また第１基板部４６の四隅には、後述する第１ケース体５４に突設したボス５７に対応する通孔４６ａが夫々形成されている。
【００２５】
これに対して所要の回路パターンが形成された第２基板部４７には、小型部品(電子部品)であるＣＰＵ５０やＩＣ５１等が実装され、表示制御装置自体の前後方向の厚み寸法を小さくし得るよう構成される(図５,図７参照)。また第２基板部４７の後面(配設面)には、前記各図柄表示ユニットＵに対するコネクタ５２が、その接続口５２ａを下向きとした姿勢(接続口が制御基板の配設面に沿う方向に向けて開口する姿勢)で下端部に配設されると共に、該第２基板部４７の左側部(図１０において)には、図示しない主制御装置に対するコネクタ５３が、その接続口５３ａを側方に向けた姿勢(接続口が制御基板の配設面に沿う方向に向けて開口する姿勢)で配設してある。なお、第２基板部４７の四隅に、後述する第２ケース体５５に突設したボス６２に対応する通孔４７ａが夫々形成されている。
【００２６】
前記表示制御基板４４が収容される基板ケース４５は、透明合成樹脂材によりＬ字型に形成された第１ケース体５４と、同じく透明合成樹脂材により該第１ケース体５４と整合し得るＬ字型の箱枠形に形成された第２ケース体５５とから構成され、両ケース体５４,５５を組付けることにより内部画成された収容室５６に、表示制御基板４４が収容されるようになっている(図７参照)。
【００２７】
前記第１ケース体５４の水平な上板５４ａの上面には、ネジ孔５７ａを形成したボス５７が四隅に突設され、前記表示制御基板４４の第１基板部４６は、前記各通孔４６ａを対応するボス５７と一致させた状態で載置され、図示しないネジを上方からネジ孔５７ａに螺挿することでネジ止めされる。また第１ケース体５４の垂直な本体板５４ｂの後面には、ネジ孔５８ａを形成したボス５８が四隅に突設され、前記表示制御基板４４の第２基板部４７は、前記各通孔４７ａを対応するボス５８と一致させた状態で位置決めされ、図示しないネジを第２ケース体５５の後方からネジ孔５８ａに螺挿することでネジ止めされる。
【００２８】
なお、前記第１ケース体５４における上板５４ａの前端部(基板ケースの上部)には、所定高さで上方に立上がる立上がり壁５９が形成され、該壁５９には多数個の放熱孔５９ａが形成されている。また、立上がり壁５９の幅方向の略中央に、所定長さの凹部５９ｂが形成されると共に、該壁５９の後面には、幅方向に離間して一対の位置決め用の突起６０,６０が形成されている。
【００２９】
前記第２ケース体５５は、前述したようにＬ字型の箱枠形に形成されたものであって、略水平な上板５５ａの前端部に、上方に向けて所定高さで立上がる立上がり壁６１が形成される。この立上がり壁６１には、前方に突出する所定幅寸法の凸部６１ａが形成され、該凸部６１ａを前記第１ケース体５４の立上がり壁５９における凹部５９ｂに嵌合して位置決めするよう構成される。また立上がり壁６１の幅方向略中央に通孔６１ｂが形成され、図６に示す如く、該通孔６１ｂに後方から挿通したネジ６６を、前記金属枠２２の取付片４３のネジ孔４３ａに螺挿することで、当該の表示制御装置Ｍが金属枠２２、すなわち収容箱体２１の後側に配設固定されるようになっている。なお、上板５５ａの幅方向両端縁から垂下する上部側板５５ｂ,５５ｂは、第２ケース体５５を第１ケース体５４に組付けた状態で、その内面が第１ケース体５４の突起６０,６０に当接することで位置決めされる。
【００３０】
前記第２ケース体５５の垂直な本体板５５ｃの前面には、前記第１ケース体５４に位置決めされた第２基板部４７の各通孔４７ａと対応する位置に、所定長さのボス６２が夫々突設され、該ボス６２が第２基板部４７に当接している。またボス６２には通孔６２ａが形成され、該通孔６２ａに後側から挿通したネジを、前記第１ケース体５４のボス５８に形成したネジ孔５８ａに螺挿することで、当該の第２ケース体５５は第１ケース体５４に配設固定される。なお、第２ケース体５５における本体板５５ｃの上部に、多数個の放熱孔５５ｄが形成されている。
【００３１】
前記第２ケース体５５の下部には、図７および図１２に示す如く、前記第２基板部４７に配設された各図柄表示ユニットＵに対する各コネクタ５２と対応する位置に、該コネクタ５２の裏面側を覆って下方に開口する下保護凹部６３が夫々形成される。また同様に第２ケース体５５の左側部には、第２基板部４７に配設された主制御装置に対するコネクタ５３と対応する位置に、該コネクタ５３の裏面側を覆って側方に開口する側保護凹部６４が形成されている。
【００３２】
前記第２ケース体５５における本体板５５ｃの幅方向両端縁から前方に延出する下部側板５５ｅ,５５ｅの外面には、前記金属枠２２に形成されたＴ字形の各第１位置決め片４１と対応する位置に、上下に離間する一対の爪片６５,６５が突設され、両爪片６５,６５の間に第１位置決め片４１が係合することで、金属枠２２に対する表示制御装置Ｍの確実な位置決めが行なわれる。
【００３３】
【実施例の作用】
次に、前述のように構成した実施例に係る図柄可変表示装置の作用につき説明する。前記図柄可変表示装置Ｋでは、前記透視表示体２０、前ケース２９および後ケース３０からなる収容箱体２１、各図柄表示ユニットＵ、金属枠２２、表示制御基板４４を収容した表示制御装置Ｍの各部材を、最前部の透視表示体２０を基準として同一方向(図１５における後側(矢印Ａ)方向)へ順次組付けながら組立て得るように設計されている。そこで次に、前記各構成部材の組付態様につき、詳細に説明する。
【００３４】
(透視表示体に対する収容箱体および図柄表示ユニットの仮組付け)
先ず、例えば専用の固定治具(図示せず)等を利用して基準となる透視表示体２０を後面側を上方へ指向した水平状態にセットしたもとで、該透視表示体２０の後面側に形成した枠状突片７２に、収容箱体２１の前ケース２９を上方から嵌合位置決めし、次いで該前ケース２９の後側開口部を介して各図柄表示ユニットＵを、駆動基盤３１の位置決め突片３４が前切欠２９ｂに嵌挿される状態で組付セットする。この際に、各図柄表示ユニットＵにおける駆動基盤３１の上部前端および下部前端を、前記透視表示体２０の後面側に形成した支持ガイド片７１,７１に嵌合させることで、該基盤３１の前側の位置決めおよび保持がなされる。そして、前記前ケース２９を介して３基の図柄表示ユニットＵの組付けが完了したら、該前ケース２９の後側に対して前記後ケース３０を、各後切欠３０ｂに対応する駆動基盤３１の位置決め突片３４を嵌挿した状態でセットする。これにより、３基の図柄表示ユニットＵは、前後のケース２９,３０により画成される収容室内に位置決め状態で収容される(図７参照)。このとき、各図柄表示ユニットＵの図柄ドラム３３は、透視表示体２０における各対応の表示窓２４に臨む一方、各駆動基盤３１の上部後端は後ケース３０における対応の支持ガイド片７６へ保持されると共に、各基盤３１の後端部が対応の前記確認孔７７へ臨むようになる。また、位置決め突片３４の裏面は、前記保護板２９ｄ,３０ｄ側を指向して該保護板２９ｄ,３０ｄで保護され、該位置決め突片３４に配設されているコネクタ３５は、収容箱体２１の後部側の下方において、側方に接続口３５ａを向けた姿勢で臨む。但し、この時点では、収容箱体２１および各図柄表示ユニットＵは、透視表示体２０に対しては単に位置決めされた状態である。
【００３５】
(金属枠の組付け)
次に、前記収容箱体２１に対して前記金属枠２２を後側(上方)から装着し、上下の当接片３８ａ,３９ａのスリット３８ｂ,３９ｂに後側から挿通したネジ６９を、前記透視表示体２０の対応するネジ孔２８ａ,２８ａに螺挿することで、該金属枠２２を透視表示体２０に固定する。これにより収容箱体２１は、透視表示体２０と金属枠２２とで前後から挟持された状態で位置決めされる。なお、金属枠２２の幅方向に離間する一対の挟持片３７ａ,３７ａが後ケース３０の幅方向両側面に当接することで、該金属枠２２の幅方向の位置決めがなされる。
【００３６】
(表示制御装置の組立ておよび組付け)
前記表示制御装置Ｍに関しては、前記基板ケース４５における第１ケース体５４の上板５４ａに、トランスやレギュレータ等の電源部品４８やコンデンサ４９等の大型部品が実装されている第１基板部４６をネジ止め固定する。また、本体板５４ｂに対してＣＰＵ５０、ＩＣ５１およびコネクタ５２,５３等の小型部品が実装されている第２基板部４７を位置決めしたもとで、第１ケース体５４に対して第２ケース体５５を、前記凹部５９ｂや突起６０に対して対応する凸部６１ａや上部側板５５ｂを係合当接することで位置決めした状態で組付ける。そして、第２ケース体５５の本体板５５ｃに形成した各通孔６２ａに後側から挿通したネジを、第１ケース体５４の対応するネジ孔５８ａに螺挿することで、第１基板部４６と第２基板部４７とからなる表示制御基板４４を収容した状態で両ケース体５４,５５が組付固定される。なお、第２基板部４７は、第１ケース体５４のボス５８と第２ケース体５５のボス６２とで四隅が前後から挟持された状態で位置決めされる。また、前記第２基板部４７に配設されている各コネクタ５２,５３は、第２ケース体５５に設けられている対応する保護凹部６３,６４により接続口５２ａ,５３ａを除く部分が覆われる(図７参照)。
【００３７】
前述したように組立てられた表示制御装置Ｍは、図７に示す如く、第１ケース体５４の上板５４ａを金属枠２２の上板３８に載置すると共に、第１ケース５４の本体板５４ｂを金属枠２２の本体板３７の後面に当接した状態で位置決め載置される。このとき、基板ケース４５の幅方向の両側部(上部側板５５ｂや下部側板５５ｅ)が、金属枠２２の前記支持片４０,４０や第２位置決め片４２,４２で挟持される。また金属枠２２の各第１位置決め片４１が、基板ケース４５の爪片６５,６５に係合し、金属枠２２に対して表示制御装置Ｍは確実に位置決めされる。そして、前記第２ケース体５５に形成した通孔６１ｂに後側(上方)から挿通したネジ６６を、前記金属枠２２の取付片４３に形成したネジ孔４３ａに螺挿することで、当該の表示制御装置Ｍは金属枠２２、すなわち収容箱体２１の後側に配設固定される。
【００３８】
そして、前記表示制御装置Ｍと前記各図柄表示ユニットＵとは、両者のコネクタ５２とコネクタ３５との間をハーネス３６で連結することにより、電気的な接続が図られる。これらコネクタ３５とコネクタ５２とは互いに隣接して位置しているので、全長の短いハーネス３６で対応することができ、該ハーネスに係る材料費を削減することも可能である。
【００３９】
このように実施例の図柄可変表示装置Ｋでは、各構成部材の組付および組立作業に関し、基準となる透視表示体２０の裏面側に対して、収容箱体２１の前ケース２９、各図柄表示ユニットＵ、該収容箱体２１の後ケース３０、金属枠２２、表示制御装置Ｍの順で、後側の同一方向から順次組付セットして組立てることができる。しかも、透視表示体２０と金属枠２２を結合するネジ６９や、該金属枠２２と表示制御装置Ｍを結合するネジ６６も、前記各部材の組付方向と同一方向からねじ込むことが可能である。従って、組立て途中の仮組付した部材を持ち上げて向きを変えたりする必要が全くなく、組立作業の容易化および合理化が可能となっている。
【００４０】
そして組立てられた実施例の図柄可変表示装置Ｋでは、前述したように、透視表示体２０、図柄表示ユニットＵを収容した収容箱体２１、金属枠２２および表示制御装置Ｍが予め組立てられた単一ユニット体として取扱うことができ、取扱いや管理等の容易化を図り得る。また、収容箱体２１の前側開口部が透視表示体２０で覆蓋されているので、組立完了後の保管時や運搬時に該箱体２１内への塵埃やゴミ等の異物の侵入が好適に回避されて図柄表示ユニットＵの誤作動や故障発生も好適に防止される一方、各図柄ドラム３３が露出しないので該ドラム３３の損傷や破損も防止される。
【００４１】
また前記収容箱体２１に関しては、透視表示体２０の裏面側に位置決めした前ケース２９に対し、該ケース２９の後側開口部を介して３基の図柄表示ユニットＵを収容セットしたもとで、該前ケース２９の後端側に対して後ケース３０を整合当接して被覆装着するだけで組付作業が完了するから、該収容箱体２１に対する図柄表示ユニットＵの収容セットが簡単かつ確実に行ない得る。しかも後ケース３０においては、内側の支持ガイド片７６に対する駆動基盤３１の整合適否を、前記確認孔７７を介して該ケース３０の外側(後側)から容易に視認できるので、収容箱体２１に対する各図柄表示ユニットＵの組付ミスが確実に回避されると共に、組付作業の合理化および容易化を図り得る。
【００４２】
また透視表示体２０の裏面側に、収容箱体２１における前ケース２９の位置決め用の枠状突片７２と、各図柄表示ユニットＵにおける駆動基盤３１の位置決めおよび保持用の支持ガイド片７１を形成してあるので、該透視表示体２０に対する各図柄表示ユニットＵおよび前ケース２９の位置決めが極めて簡単かつ容易に行ない得る。しかも、透視表示体２０に整合した前ケース２９は、前記枠状突片７２および前記変形規制ボス７３により内外両側から係止保持されており、左右の側枠材２９ｃにおける前部分の内側への変形が規制される。更に前ケース２９は、後ケース３０から前方へ延出した変形規制ボス７５によっても内側から係止保持されており、該前ケース２９の左右の側枠材２９ｃにおける後部分の内側への変形も規制される。従って前ケース２９は、角筒状に形成されているものの、前記変形規制ボス７３および変形規制ボス７５による係止補強作用により、左右の側枠材２９ｃの変形が好適に規制される。
【００４３】
更に、切欠２９ｂ,３０ｂにより画成された逃し口を介して下方へ延出した駆動基盤３１の位置決め突片３４の裏面側が、互いに板状に連設する保護板２９ｄ,３０ｄで略全面的に保護されているので、該突片３４の裏面に形成された電気回路(導通部)にパチンコ球が衝突してショートする等の不都合が好適に回避される。しかも、切欠２９ｂ,３０ｂにより画成された逃し口は、位置決め突片３４の嵌挿を許容するに必要な最小長に設定することができるので、該逃し口の形成による収容箱体２１の強度低下が最小限に抑えられる。
【００４４】
そして、前述のようにユニット化された図柄可変表示装置Ｋは、前記透視表示体２０の各連結支片２５に形成されたピン孔２５ａに、前記セーフ球案内部材１５の各支持部２７に形成されたピン２７ａを嵌挿することで位置決めセットしたもとで、各施錠具２６を対応する連結孔２７ｂに回動係着させるだけの単一工程で遊技盤Ｊに装着することができ、組付作業の大幅な合理化を図り得る。これにより透視表示体２０の透視部２３は、セーフ球案内部材１５の透視窓口１５ａを介して大型装飾部品Ｎの可視表示部分６７に臨む。また前記表示制御装置Ｍの第２基板部４７に配設されたコネクタ５３は、図示しない主制御装置にハーネスを介して接続される。
【００４５】
一方、実施例に係る図柄可変表示装置Ｋでは、各図柄表示ユニットＵを電気的に制御する表示制御装置Ｍの表示制御基板４４を２枚に分割し、前記収容箱体２１の上面側に対向位置する第１基板部４６には電子部品として大型の部品を実装し、収容箱体２１の後面側に対向位置する第２基板部４７には電子部品として小型の部品を実装した。これにより、表示制御装置Ｍにおける収容箱体２１の後面側に臨む部分の前後方向の厚み寸法を小さくすることができ、図柄可変表示装置Ｋを装備したパチンコ機Ｐを遊技店内の島に設置した際に、後側への突出量を小さくすることができる。すなわち、表示制御装置Ｍの厚みを薄くした分だけ、図柄表示ユニットＵの図柄ドラム３３を大型化しても、島内で対向する図柄可変表示装置Ｋ,Ｋ同士が干渉することはない。従って、図柄ドラム３３の大型化により迫力のある図柄表示が可能となり、ゲーム全体の興趣を高めると共に、パチンコ機全体のグレードアップをも図り得る。
【００４６】
また表示制御装置Ｍでは、収容箱体２１の上面側に臨む第１基板部４６に、重量のある大型部品を実装したので、該表示制御装置Ｍを収容箱体２１(金属枠２２)に装着した際の安定性に優れ、実施例のように１本のネジにより確実かつ安定的に固定することができる。なお、第１基板部４６に実装される大型部品は、発熱やノイズを発生するが、これらの部品は第２基板部４７に実装されるＣＰＵ５０やＩＣ５１とは離間しているので、該ＣＰＵ５０やＩＣ５１に対する熱やノイズの影響を低減することができる。しかも、基板ケース４５の上部には多数の放熱孔５５ｄ,５９ａが形成してあるので、上部に配設されている大型部品から発する熱は効率的に外部に逃げ、ケース内にこもることはない。
【００４７】
前記第２基板部４７に配設されるコネクタ５２,５３の配設姿勢を、その接続口５２ａ,５３ａが、該基板部４７の配設面(制御基板の配設面)に沿う方向に向けて開口するよう設定したので、これによっても表示制御装置Ｍにおける収容箱体２１の後面側に臨む部分の前後厚みを小さくすることができる。また、各図柄表示ユニットＵのコネクタ３５が収容箱体２１の後部下方に臨むと共に、表示制御装置Ｍの対応するコネクタ５２が第２基板部４７の下部に配設されるので、両コネクタ３５,５２を接続するハーネス３６を短かくすることができる。すなわち、材料費を低減し得ると共に、ハーネス３６が長くなることに起因するノイズからの影響を抑制することができる。
【００４８】
また実施例の図柄可変表示装置Ｋでは、前記第２基板部４７に配設されるコネクタ５２を下向きにすると共に、第２ケース体５５で保護するよう構成したので、パチンコ機Ｐが設置される島内において該パチンコ機Ｐの後側を落下するパチンコ球が、コネクタ５２に衝突して破損させたりショートの原因となるのを未然に防止することができる。更に、コネクタ５２に対してハーネス３６を下方から接続することとなるから、該ハーネス３６も第２基板部４７の配設面から後方に突出することはなく、ハーネス３６にパチンコ球が衝突するのも防止し得る。
【００４９】
そして、このように構成された実施例の図柄可変表示装置Ｋでは、前記透視表示体２０と金属枠２２とにより収容箱体２１が囲繞された状態に保持されるので、該収容箱体２１内に収容セットした各図柄表示ユニットＵの重量が金属枠２２に加わるようになり、該ユニットＵの重みによる収容箱体２１の変形や破損等が好適に防止される。また、金属枠２２の背面側に装着される表示制御装置Ｍの重量も前記金属枠２２に加わり、前記収容箱体２１には全く加わらないから、該表示制御装置Ｍの重みによる該収容箱体２１の変形や破損等も好適に防止される。
【００５０】
また金属枠２２は、収容箱体２１内に収容セットした各図柄表示ユニットＵと前記表示制御装置Ｍとの間に配設されているので、該図柄表示ユニットＵのステッピングモータ３２の駆動時に該モータから発生するノイズを好適に遮蔽し、このノイズが前記表示制御装置Ｍの第１基板部４６および第２基板部４７の電源部品４８、コンデンサ４９、ＣＰＵ５０およびＩＣ５１等に悪影響を及ぼすことを好適に防止する。
【００５１】
(逆方向の組付態様)
一方、前記実施例の図柄可変表示装置Ｋでは、透視表示体２０に設けた前記ネジ孔２８ａを該表示体２０の前面側に開口して前記ネジ６９′の挿通を許容する貫通孔とし、かつ前記スリット３８ｂ,３９ｂに該ネジ６９′が螺合し得る構造とすることを前提とすれば、前記透視表示体２０、前ケース２９および後ケース３０からなる収容箱体２１、各図柄表示ユニットＵ、金属枠２２、表示制御基板４４を収容した表示制御装置Ｍの各部材を、前とは反対方向(図１５における前側(矢印Ｂ)方向)へ順次組付けながら組立てることも可能である。すなわち、各基板部４６,４７を収容して組立てた前記表示制御装置Ｍを基準とした組付態様として、例えば該表示制御装置Ｍの前面側を上方へ向けた水平姿勢に固定したもとで、この表示制御装置Ｍの前面側に対して金属枠２２をセットすると共に前側からネジ６６′を螺合し、次いで該金属枠２２の前面側に収容箱体２１の後ケース３０をセットし、該後ケース３０の内部に各図柄表示ユニットＵを収容セットする。そして、前記後ケース３０の前側に前ケース２９をセットし、最後に該前ケース２９の前側に透視表示体２０をセットすると共に、該表示体２０のネジ孔２８ａを介して前側から挿入したネジ６９′を前記金属枠２２に螺合させれば、単一ユニット体として組立てられる。
【００５２】
【別形態例】
図１６〜図１９は、別形態例に係る図柄可変表示装置Ｋを示すもので、この図柄可変表示装置Ｋでは、前後に開口した角筒状単一部材として収容箱体２１を形成したもとで、前側開口部および後側開口部の何れからも各図柄表示ユニットＵを収容し得るよう構成したものである。なお、収容箱体２１をこのような形態としたことにより、各図柄表示ユニットＵにおける駆動基盤３１の位置決め突片３４は該基盤３１の後方側へ突出形成されており、金属枠２２には各位置決め突片３４の挿通を許容する挿通孔６８が形成されている。そして、この別形態例の図柄可変表示装置Ｋにおいても、図柄表示ユニットＵを収容セットした収容箱体２１は、前記透視表示体２０と金属枠２２とにより前後から挟持された状態で保持される。また別変形例の図柄可変表示装置Ｋは、前記実施例の図柄可変表示装置Ｋと同様に、最前部の透視表示体２０を基準とした後側方向(図１５におけるＡ方向)への組付態様と、最後部の表示制御装置Ｍを基準とした前側方向(図１５におけるＢ方向)への組付態様の何れでも好適な組付作業を行ない得る。
【００５３】
例えば図１６および図１７は、透視表示体２０を基準とした組付態様を例示したものである。すなわち先ず、水平姿勢に固定した透視表示体２０の後面側に収容箱体２１を位置決めセットし、次いで該収容箱体２１に後側開口部から各図柄表示ユニットＵを収容セットし、その次に該収容箱体２１の後側に金属枠２２をセットする(図１６)。そして、金属枠２２の後側から該金属枠２２と透視表示体２０との間にネジ６９を螺合した後、該金属枠２２に表示制御装置Ｍをセットすると共に該制御装置Ｍの後側からネジ６６を螺合することにより(図１７)、各部材２０,２１,Ｕ,２２,Ｍの組付作業およびネジ６９,６６のねじ込み作業を後側の同一方向から行なうことができる。
【００５４】
また図１８および図１９は、表示制御装置Ｍを基準とした組付態様を例示したものである。すなわち先ず、前記表示制御装置Ｍの前面側に金属枠２２をセットすると共に、金属枠２２の前側から該金属枠２２と表示制御装置Ｍの間にネジ６６′を螺合する(図１８)。そして、前記金属枠２２の前面側に収容箱体２１を位置決めセットし、次いで該収容箱体２１の前側開口部から各図柄表示ユニットＵを収容セットし、その次に前記収容箱体２１の前側に透視表示体２０をセットすると共に該表示体２０の前側からネジ６９′を螺合することにより(図１９)、各部材Ｍ,２２,２１,Ｕ,２０の組付作業およびネジ６６′,６９′のねじ込み作業を前側の同一方向から行なうことができる。
【００５５】
本発明の対象とする大型役物としての図柄可変表示装置については、図示しないが、前述した図柄ドラムを用いた形態の他に図柄ベルト(表示手段)を用いる形態の図柄装置にも好適に実施し得る。また実施例では、パチンコ球を用いた遊技機につき説明したが、コインを用いたスロットマシン等にも採用可能である。
【００５６】
更に前述した実施例では、表示制御基板を２枚に分割した場合で説明したが、１枚の基板を折曲形成したものであってもよい。また基板を構成する複数の基板部は、収容箱体の上面と後面に対向位置させる他に、上面と一方の側面、後面と一方の側面、あるいは上面と両側面や後面と両側面とに対向位置させる構成とすることができる。更に、基板ケースに設けられる放熱孔に関しては、第２ケース体の上板や上部側板等に設けてもよい。
【００５７】
【発明の効果】
以上説明した如く、本発明に係るパチンコ遊技機の大型遊技装置は、前カバー部材、図柄表示ユニットを収容した収容箱体、金属枠および表示制御装置から構成して、これら各部材を予め組付けた単一ユニット体として取扱い得る。しかも、図柄表示ユニットの駆動基盤を収容箱体の前ケースと後ケースとで前後から挟持し、更に収容箱体の前ケースと後ケースとを前カバー部材と金属枠とで上下および前後から挟持したもとで該前カバー部材と金属枠とを連結するだけで、該図柄表示ユニットを収容箱体内に固定保持させ得る。そして、収容箱体の前側開口部が前カバー部材で覆蓋されているので、組立完了後の保管時や搬送時に該箱体内への塵埃やゴミ等の異物の侵入が好適に回避され、図柄表示ユニットの誤作動や故障発生が好適に防止される一方、各図柄表示ユニットの損傷や破損も防止される。また、各図柄表示ユニットと表示制御装置とが隣接して位置しているので、両者を電気的に接続するハーネスの全長を短くすることができ、該ハーネスに係る材料費を削減してコストダウンを図ることも可能である。更に金属枠が、収容箱体内に収容セットした各図柄表示ユニットと表示制御装置との間に配設されているので、該図柄表示ユニットから発生するノイズを遮蔽して、このノイズが該表示制御装置に悪影響を及ぼすことを好適に防止し得る等の利点もある。
【図面の簡単な説明】
【図１】本発明の実施例に係る図柄可変表示装置を分解した状態で後側から視た概略斜視図である。
【図２】実施例に係る図柄可変表示装置が装備されるパチンコ機の全体を示す正面図である。
【図３】実施例に係る図柄可変表示装置が装備されるパチンコ機の全体を示す背面図である。
【図４】実施例に係る図柄可変表示装置が配設された遊技盤を示す正面図である。
【図５】実施例に係る図柄可変表示装置を組付け状態で示す概略斜視図である。
【図６】実施例に係る図柄可変表示装置の表示制御装置を収容箱体に組付ける状態で示す概略斜視図である。
【図７】実施例に係る図柄可変表示装置の縦断側面図である。
【図８】収容箱体、図柄表示ユニットおよび金属枠を分解した状態で後側から視た概略斜視図である。
【図９】収容箱体、図柄表示ユニットおよび金属枠を分解した状態で前側から視た概略斜視図である。
【図１０】実施例に係る表示制御装置を分解した状態で後側から視た概略斜視図である。
【図１１】実施例に係る表示制御装置を分解した状態で前側から視た概略斜視図である。
【図１２】実施例に係る表示制御装置を一部切欠いて示す背面図である。
【図１３】収容箱体および図柄表示ユニットを透視表示体に組付ける状態を示す斜視図である。
【図１４】収容箱体および図柄表示ユニットを透視表示体に組付ける状態を断面状態で示す側面図である。
【図１５】透視表示体、収容箱体、図柄表示ユニット、金属枠、表示制御装置の組付けに関し、透視表示体を基準とした組付態様と、表示制御装置を基準とした組付態様とを同時に示す説明図である。
【図１６】別形態例に係る図柄可変表示装置の各部材を、透視表示体を基準とした組付態様で組付ける状態を示す斜視図であって、透視表示体の裏面側に対して、収容箱体、図柄表示ユニット、金属枠を順に組付けている。
【図１７】図１６に示した各部材を順に組付けた後に、金属枠の後面側に表示制御装置を装着してネジで固定する状態を示す斜視図である。
【図１８】別形態例に係る図柄可変表示装置の各部材を、表示制御装置を基準とした組付態様で組付ける状態を示す斜視図であって、表示制御装置の前面側に金属枠を組付けると共に前側からネジで固定する状態を示している。
【図１９】図１８に示した表示制御装置と金属枠を組付けた後に、金属枠の前面側に対して、収容箱体、図柄表示ユニット、透視表示体の順で組付ける状態を示す斜視図である。
【符号の説明】
２０  透視表示体(前カバー部材)
２１  収容箱体
２２  金属枠
２９  前ケース
２９ｂ  前切欠
３０  後ケース
３０ｂ  後切欠
３１  駆動基盤
３４  位置決め突片
３７  本体板
３８  上板
３９  下板
６７  可視表示部分
７６  支持ガイド片
Ｊ  遊技盤
Ｍ  表示制御装置
Ｕ  図柄表示ユニット
【図１】
0004526635.tif 000002
【図２】
0004526635.tif 000003
【図３】
0004526635.tif 000004
【図４】
0004526635.tif 000005
【図５】
0004526635.tif 000006
【図６】
0004526635.tif 000007
【図７】
0004526635.tif 000008
【図８】
0004526635.tif 000009
【図９】
0004526635.tif 000010
【図１０】
0004526635.tif 000011
【図１１】
0004526635.tif 000012
【図１２】
0004526635.tif 000013
【図１３】
0004526635.tif 000014
【図１４】
0004526635.tif 000015
【図１５】
0004526635.tif 000016
【図１６】
0004526635.tif 000017
【図１７】
0004526635.tif 000018
【図１８】
0004526635.tif 000019
【図１９】
0004526635.tif 000020